(57)【要約】【課題】  専門の施工業者によらずに、ホームオートメーション機器の試験が容易に行えるホームオートメーション機器試験機能付き情報分電盤を提供する。【解決手段】  ホームオートメーション機器２の機器制御用端子３を複数備えた情報分電盤１において、各ホームオートメーション機器２の動作試験を行う動作試験器４を内蔵する。動作試験器４は、電池の電圧をホームオートメーション機器２に信号用電圧として印加する電池使用電源部５ａを有する。【選択図】        図１
2011071893.tif 000002
【特許請求の範囲】
【請求項１】
住宅内に配置されて通信により制御される電気機器であるホームオートメーション機器の機器制御用端子を複数備えた情報分電盤において、これら機器制御用端子に接続されて前記各ホームオートメーション機器の動作試験を行う動作試験器を内蔵したことを特徴とするホームオートメーション機器試験機能付き情報分電盤。
【請求項２】
請求項１において、前記動作試験器は、電池の電圧を前記ホームオートメーション機器に信号用電圧として印加する電池使用電源部を有するホームオートメーション機器試験機能付き情報分電盤。
【請求項３】
請求項１または請求項２において、広域通信ネットワークに接続される外線側接続端子と、住宅内通信ネットワークの配線に接続される複数の宅内配線側端子と、前記外線側接続端子と前記複数の宅内配線側端子の間で中継する中継器とを有し、この中継器と接続された前記宅内配線側端子の一部として、または中継器と接続された宅内配線側端子とは別に、前記ホームオートメーション機器の制御用配線の機器制御用端子を設けたホームオートメーション機器試験機能付き情報分電盤。
【請求項４】
請求項１ないし請求項３のいずれか１項において、筐体内に、前記動作試験器の他に、リレー、コネクタ類、およびその他の複数の内部機器が設けられ、これら内部機器は、それぞれ配線基板上に内部機器の構成部品が実装されたものであり、前記各配線基板が、前記筐体にそれぞれ交換可能に取付けられたホームオートメーション機器試験機能付き情報分電盤。
【発明の詳細な説明】
【技術分野】
【０００１】
この発明は、住宅内に設置されて住宅内通信ネットワークの配線の接続を行う情報分電盤に関し、特に、通信により制御される住宅設備，家電機器，その他の電気機器であるホームオートメーション機器に対する試験機能を付加したホームオートメーション機器試験機能付き情報分電盤に関する。
【背景技術】
【０００２】
情報化の進展により、一般家庭の住宅においても、インターネットやケーブルテレビ等の広域通信ネットワークに接続する住宅設備，家電機器等が多数設置され、また住宅内通信ネットワーク等を通じて制御される住宅設備，照明器具，その他の電気機器であるホームオートメーション機器が多数設けられている。これらの電気機器の情報通信の配線を集中して外線となる公衆電話回線や光配線に対して接続する機器として、情報分電盤が設置される（例えば、特許文献１）。また、ホームオートメーション機器に対しては、日本電気工業会（ＪＥＭＡ）等の統一規格が設けられている。
【０００３】
ホームオートメーション機器を住宅に設置した場合、問題なく動作するか否かの試験、例えば、機器の接続が適切に接続されているか、また断線がないか等の試験を行う必要がある。
従来、このようなホームオートメーション機器の試験の方法として、例えば、図４に示す方法が取られている。この方法では、ホームオートメーション機器３１、その制御用配線３２の施工、情報分電盤３３およびその中へのコントローラ３４の施工が完了すると、コントローラ３４から全てのホームオートメーション機器３１に試験用の通電を行う。ノート形のパーソナルコンピュータ３５とコントローラ３４とをＬＡＮケーブルで接続し、パーソナルコンピュータ３５とコントローラ３４との通信確立を行う。この後、パーソナルコンピュータ３５から動作指示を行って、コントローラ３４から各ホームオートメーション機器３１に電圧をかけ、各ホームオートメーション機器３１が適切に動作したか否かのチェックを行う。
【０００４】
また、従来、情報分電盤において、ホームサーバを利用した留守番モニタや地震速報報知手段等の機器を動作させるためには、それぞれの動作ユニット（コントローラ，音声ユニット）の他に、リレー，ブレーカ，配線コネクタ、電源アダプタ等を構成部品毎に個別に用意し、情報分電盤内に組み込んでいる。
【先行技術文献】
【特許文献】
【０００５】
【特許文献１】特開２００６−１０１０９９号公報
【発明の概要】
【発明が解決しようとする課題】
【０００６】
図４に示すような従来の試験方法では、ホームオートメーション機器３１の動作試験を行うために、専用のコントローラ３４と、試験用プログラムを備えたパーソナルコンピュータ３５が必要となる。そのため、一般の電気工事者や、ハウスメーカの現場検査部門では、対応が難しい。そのため、ハウスメーカから専門の施工業者に依頼してホームオートメーション機器３１の検査を行うことが一般的である。このため、コスト増となり、工期短縮や、ホームオートメーション化の普及の妨げとなっている。
【０００７】
また、従来の情報分電盤は、上記のように、リレー，ブレーカ，配線コネクタ、電源アダプタ等の構成機器を個別に情報分電盤内に組み込んでいるため、これらの構成部品毎に用意する必要がある。そのため、設置スペースが大きくなり、個々の部品を設置する必要があり、また量産化できず、コストが嵩む要因となっている。しかも、不具合があった場合の不具合箇所の特定、交換が面倒で、専門作業員での対応が必要となっている。
【０００８】
この発明は、専門の施工業者によらずに、ホームオートメーション機器の試験が容易に行えるホームオートメーション機器試験機能付き情報分電盤を提供することである。
この発明の他の目的は、機器設置スペースの省スペース化、部品取付作業の簡略化、量産化が図れて、コスト低減が図れ、かつ不具合があった場合の対応を容易とすることである。
【課題を解決するための手段】
【０００９】
この発明のホームオートメーション機器試験機能付き情報分電盤は、ホームオートメーション機器の機器制御用端子を複数備えた情報分電盤において、これら機器制御用端子に接続されて前記各ホームオートメーション機器の動作試験を行う動作試験器を内蔵したことを特徴とする。この明細書において、ホームオートメーション機器とは、住宅内に配置されて通信により制御される電気機器を言い、テレビ、オーディオ機器、冷蔵庫等の家電機器や、照明器具、パーソナルコンピュータ等の情報処理機器、および給湯器，エレーベータ等の電化された住宅設備機器を言う。前記機器制御用端子は、ホームオートメーション機器の制御用配線を接続する端子である。
この構成によると、ホームオートメーション機器の制御用配線の集まる情報分電盤内に、ホームオートメーション機器の動作試験を行う動作試験器を組み込んだため、専門の施工業者によらずに、ホームオートメーション機器の試験を容易に行うことができる。
【００１０】
前記動作試験器は、電池の電圧を前記ホームオートメーション機器に信号用電圧として印加する電池使用電源部を有するものであっても良い。電池を利用するため、ホームオートメーション機器に信号用電圧を印加する専用の電源装置が不要で、コスト低下が図れる。上記電池には、乾電池等が用いられる。この電池は、ホームオートメーション機器の試験の後は、取り出して別の用途に再利用することができる。
【００１１】
この発明のホームオートメーション機器試験機能付き情報分電盤は、広域通信ネットワークに接続される外線側接続端子と、住宅内通信ネットワークの配線に接続される複数の宅内配線側端子と、前記外線側接続端子と前記複数の宅内配線側端子の間で中継する中継器とを有し、この中継器と接続された前記宅内配線側端子の一部として、または中継器と接続された宅内配線側端子とは別に、前記ホームオートメーション機器の制御用配線の機器制御用端子を設けたものであっても良い。
この構成の場合、インターネット等の広域通信ネットワークと住宅内の各機器とを住宅内通信ネットワークを介して接続する配線、およびホームオートメーション機器の制御用配線を、一つの情報分電盤に纏めて接続することができる。この全て纏めて接続する情報分電盤内に動作試験器を内蔵するため、より一層使用に便利である。
【００１２】
この発明において、筐体内に、前記動作試験器の他に、リレー、コネクタ類、およびその他の複数の内部機器が設けられ、これら内部機器は、それぞれ配線基板上に内部機器の構成部品が実装されたものであり、前記各配線基板が、前記筐体にそれぞれ交換可能に取付けられたものであっても良い。上記内部機器として、上記動作試験器の他に、例えば電源アダプタや留守番モニタ等を設けても良い。
このように、リレー、コネクタ類や、動作試験器等を基板化することで、機器設置スペースの省スペース化、部品取付作業の簡略化、量産化が図れて、コスト低減が図れる。また不具合があった場合に、基板毎交換できて、復旧作業が容易に行える。なお、個々の内部機器について、基板は１枚に限らず、２枚またはそれ以上としても良く、機能別に２枚に構成することにより、必要な機能を選択して取付けることが可能となる。
【発明の効果】
【００１３】
この発明のホームオートメーション機器試験機能付き情報分電盤は、ホームオートメーション機器の機器制御用端子を複数備えた情報分電盤において、これら機器制御用端子に接続されて前記各ホームオートメーション機器の動作試験を行う動作試験器を内蔵したため、専門の施工業者によらずに、ホームオートメーション機器の試験を容易に行うことができる。前記動作試験器が、電池の電圧を前記ホームオートメーション機器に信号用電圧として印加する電池使用電源部を有する場合は、専用電源が不要でコスト低下が図れる。また、この情報分電盤が、広域通信ネットワークに接続される外線側接続端子と、住宅内通信ネットワークの配線に接続される複数の宅内配線側端子と、その間の中継器とを有する場合は、広域通信ネットワークと各端末機器との配線、およびホームオートメーション機器の制御用配線を、一つの情報分電盤に纏めて接続することができる。この全て纏めて接続する情報分電盤内に動作試験器を内蔵するため、より一層使用に便利である。
情報分電盤の筐体内に、前記動作試験器の他に、リレー、コネクタ類、およびその他の複数の内部機器が設けられ、これら内部機器は、それぞれ配線基板上に内部機器の構成部品が実装されたものであり、前記各配線基板が、前記筐体にそれぞれ交換可能に取付けられたものとした場合は、機器設置スペースの省スペース化、部品取付作業の簡略化、量産化が図れて、コスト低減が図れ、かつ不具合があった場合の対応を容易に行うことができる。
【図面の簡単な説明】
【００１４】
【図１】この発明の一実施形態に係るホームオートメーション機器試験機能付き情報分電盤の概念構成を示すブロック図である。
【図２】同情報分電盤のレイアウト例の説明図である。
【図３】この発明の他の実施形態に係るホームオートメーション機器試験機能付き情報分電盤の内部を示す正面図である。
【図４】従来例の説明図である。
【発明を実施するための形態】
【００１５】
この発明の一実施形態を図１および図２と共に説明する。このホームオートメーション機器試験機能付き情報分電盤１は、ホームオートメーション機器２の機器制御用端子３を複数備えた情報分電盤１において、前記機器制御用端子３に配線８で接続されて各ホームオートメーション機器２の動作試験を行う動作試験器５を内蔵したものである。各機器接続用端子３は、一つまたは複数個の端子台４に纏めて設けられている。ホームオートメーション機器２は、住宅６内に配置されて通信により制御される電気機器の総称である。ホームオートメーション機器２としては、テレビ、オーディオ機器、冷蔵庫等の家電機器や、照明器具、パーソナルコンピュータ等の情報処理機器、ウェブカメラやメータ類等の監視機器、および給湯器，エレーベータ等の電化された住宅設備機器がある。各ホームオートメーション機器２と情報分電盤１の機器制御用端子３とは、制御用配線７により接続されている。各ホームオートメーション機器２は、制御用配線７とは別に電力電源として交流商用電源の屋内配線（図示せず）に接続されるが、制御用配線７の電力で動作するものであっても良い。ホームオートメーション機器２、制御用配線７、および機器制御用端子３等は、例えば日本電気工業会（ＪＥＭＡ）における統一規格に適合した物である。
【００１６】
動作試験器４は、ホームオートメーション機器２が正常に動作するか否かの試験（例えば機器の適正な接続、断線の有無等の試験）を行う装置である。動作試験器４は、乾電池等の電池（図示せず）の電圧をホームオートメーション機器２に信号用電圧として印加する電池使用電源部５ａを有しており、押しボタン等からなる試験開始スイッチ５ｂをオンにすることで、電圧印加を行う。電池使用電源部５ａは、前記電池を着脱自在に収容する電池収容部（図示せず）を有している。動作試験器４は、ホームオートメーション機器２の動作結果を調べる機能を有するものであっても良く、また単にホームオートメーション機器２に試験用の信号用電圧を印加するものであっても良い。
【００１７】
情報分電盤１は、この他に、インターネット等の広域通信ネットワーク９に接続される外線側接続端子１２と、住宅内通信ネットワーク１４の配線１５に接続される複数の宅内配線側端子１３と、前記外線側接続端子１２と複数の宅内配線側端子１３の間で中継する中継器１０，１１とを有する。住宅内通信ネットワーク１４は、例えばイーサネット（登録商標）によるローカルエリアネットワークである。広域通信ネットワーク９は、例えば公衆電話回線を利用するものであり、電気配線による他に、光配線によるものであっても良い。情報分電盤１に設けられる一つの中継器１０は、例えばルータであり、他の中継器１１は、例えばハブである。外線側接続端子１２および宅内配線側端子１３は、例えば中継器１０，１１の一部として設けられた差し込み接続式のコネクタである。宅内配線側端子１３は、情報コンセント等として情報分電盤１の筐体等に設けられたものであっても良い。前記ホームオートメーション機器１の機器制御用端子３は、中継器１１と接続された前記宅内配線側端子１３の一部として設けられたものであっても、また中継器１１と接続された宅内配線側端子１３とは別に設けられたものであっても良い。
【００１８】
情報分電盤１には、この他に、広域通信ネットワークであるケーブルテレビ網と接続する機器や、テレビ放送の受信用アンテナに接続したブースタやスプリッタ等を設けた物であっても良い。情報分電盤１には、ホームオートメーション機器２の制御等に用いるリレーやブレーカ等を設けたものであっても良い。
【００１９】
また、情報分電盤１には、ホームオートメーション機器２の制御を行う遠隔制御用コントローラ１６を内蔵したものであっても良い。遠隔制御用コントローラ１６は、例えば、広域通信ネットワーク９等を介して、携帯電話等からの操作でホームオートメーション機器２を制御する手段とされる。
【００２０】
図２は、この情報分電盤１のレイアウト例を示す説明図である。この情報分電盤１は、筐体２１の基盤に設けられた取付レール２２に、各内部機器２３を取付けたものである。ここで言う内部機器２３は、情報分電盤１内に装備される前記中継器１０，１１や前記リレー，ブレーカ等の各電気機器を総称したものである。動作試験器４は、上記内部機器２３の一つとして、前記他の内部機器２３と同様に、取付レール２２に取付けられる。取付レール２２は、例えばＤＩＮレール（ドイツ工業規格に適合した取付レール）が用いられる。一般的な情報分電盤には、リレーやブレーカ類を取付けるために取付レールが設けられているが、この取付レールを利用して、動作試験器４の取付けを行う。
【００２１】
上記構成によると、ホームオートメーション機器２、制御用配線７、情報分電盤１の施工が完了した後、全てのホームオートメーション機器２の電源をオンにし、動作試験器４の試験開始スイッチ５ｂを押す。これより、動作試験器４から各ホームオートメーション機器２に試験用の信号電圧を印加し、各ホームオートメーション機器２が正常に動作したか否かの確認を行う。この確認は、動作試験器４がホームオートメーション機器２の適正動作の検出機能を有するものであれば、その検出機能によって行う。また、動作試験器４が単に試験用の信号電圧を印加するものであれば、ホームオートメーション機器２の動作や、ディスプレイを見て行う。
【００２２】
この構成の情報分電盤１によると、このようにホームオートメーション機器２の制御用配線７の集まる情報分電盤１内に、ホームオートメーション機器２の動作試験を行う動作試験器５を組み込んだため、専門の施工業者によらずに、ホームオートメーション機器２の試験を容易に行うことができる。この動作試験器５は、電池を利用するため、ホームオートメーション機器２に信号用電圧を印加する専用の電源装置が不要で、コスト低下が図れる。上記電池は、ホームオートメーション機器２の試験の後は、取り出して別の用途に再利用することができる。また、この実施形態の情報分電盤１は、インターネット等の広域通信ネットワーク９に接続する住宅内通信ネットワーク１４との配線１５と、ホームオートメーション機器２の制御用配線７を、一つの情報分電盤１に纏めて接続することができる。この全て纏めて接続する情報分電盤１内に動作試験器５を内蔵するため、より一層使用に便利である。
【００２３】
図３は、この発明における他の実施形態を示す。このホームオートメーション機器試験機能付き情報分電盤１は、ボックス状の筐体１ａに設けられた木製の取付基板２８に、上記動作試験器５、およびその他の複数の内部機器２３を取付けたものである。なお、ここで言う内部機器２３は、前述のように、情報分電盤１内に装備される各電気機器を総称して示す用語である。
【００２４】
内部機器２３として、図示の例では、留守モニタユニット２４、揺れモニタユニット２５、留守制御コントローラである前記遠隔制御コントローラ１６、音声ユニット２６、ルータである前記中継器１０、ハブからなる前記端子台４があり、この他に、電源用のコンセント２９、ＬＡＮ端子台４′、および別機器への給電用のコンセント２７が設けられている。
【００２５】
これら内部機器２３のうちの、留守モニタユニット２４、揺れモニタユニット２５、遠隔制御コントローラ１６、音声ユニット２６、中継器１０、端子台４、および動作試験器５は、いずれも配線基板１７上に、コネクタ等の端子類、リレー、ブレーカ等の電気部品からなる内部機器構成部品１８を実装したものとされている。遠隔制御コントローラ１６および音声ユニット２６等は、さらに内部機器２３の外装となるカバー１９を有している。
【００２６】
具体的には、留守モニタユニット２４は、留守中にホームオートメーション機器２やその他の住宅内設備につき、所定の監視を制御を行う手段であり、内部機器構成部品１８として接続端子、制御リレー、プロテクタセット等が設けられている。
揺れモニタユニット２５は、地震を検知する手段であり、内部機器構成部品１８として接続端子や制御リレーセットが設けられている。揺れモニタユニット２５は、地震速報を広域通信ネットワーク９から受信して音声ユニット２６を駆動するものであっても良い。音声ユニット２６は、揺れモニタユニット２５や他の内部機器２３から得た信号により、所定の音声による報知を行う手段である。
【００２７】
上記内部機器２３のうち、電源用のコンセント２９、ＬＡＮ端子台４′、および別機器への給電用のコンセント２７は、単独の部品として、前記取付基板２８に取付けられている。なお、各内部機器２３間の配線（図示せず）は、全て差し込み接続型等のコネクタによる接続仕様とし、配線接続のミスを軽減するようにしてある。
【００２８】
この実施形態の場合、リレー、コネクタ類等で構成される各種の内部機器２３や、動作試験器５等を基板化したため、機器設置スペースの省スペース化、および部品取付作業の簡略化、量産化が図れて、コスト低減が図れる。また不具合があった場合に、配線基板１７毎交換できて、復旧作業を容易に行うことができる。
個々の内部機器２３につき、配線基板１７は１枚に限らず、２枚またはそれ以上としても良く、機能別に２枚等に構成することにより、必要な機能を選択して取付けることが可能となる。
なお、この実施形態において、特に説明した事項の他の構成，効果は、図１に示す実施形態と同様である。
【符号の説明】
【００２９】
１…情報分電盤
１ａ…筐体
２…ホームオートメーション機器
３…機器制御用端子
５…動作試験器
５ａ…電池使用電源部
６…住宅
７…制御用配線
８…配線
９…広域通信ネットワーク
１０，１１…中継器
１２…外線側接続端子
１３…宅内配線側端子
１４…住宅内通信ネットワーク
１５…配線
１７…配線基板
１８…内部機器構成部品
２２…取付レール
２３…内部機器
【図１】
2011071893.tif 000003
【図２】
2011071893.tif 000004
【図３】
2011071893.tif 000005
【図４】
2011071893.tif 000006